(57)【要約】【課題】モップ柄の取付け取外しが容易なモップ糸取付台を提供する。【解決手段】本体１はほぼ直方体の細長い形状とし、下方にモップ糸を取り付けるようにしている。上方中央に直方体状の挟持部２を形成し、挟持部２には左右に細長い長方形の挿入穴７を上面から垂直下方へと設けている。挟持部２には両端から内側へ切込み９を設けている。柄取付体１１を用意している。柄取付体１１の上方部は円筒１２とし、円筒１２には柄の下端を挿入して取り付ける。左右の挿入穴７にちょうどはまる方形の挿入片１４を柄取付体１１の下方部に形成している。各挿入片１４には外側から内側へと小切込み１５を設けている。水平片１７を備えた左右の係止片１６を用意している。柄取付体１１の挿入片１４を本体１の各挿入穴７内へ挿入し、左右の係止片１６の各水平片１７を挟持部２の切込み９から各挿入片１４の小切込み１５内へと押し込む。【選択図】図１
2008061973.tif 000002
【特許請求の範囲】
【請求項１】
垂直方向の切れ目（５）及び掛止部（４）を両側にそれぞれ設け、中央には上面から下方へ挿入穴（７）を設けたほぼ直方体形状の細長い本体（１）と、棒状の柄（２４）の下端を挿入して取り付ける円筒（１２）を上方に設けて本体（１）の挿入穴（７）にちょうどはまる形状とした挿入片（１４）を下方に設けた柄取付体（１１）と、本体（１）とほぼ同じ長さとし本体（１）の両切れ目（５）にはまる二つの回転脚（２１）の各一端を両端に回転自在にそれぞれ取り付け、本体（１）の各掛止部（４）に掛け止める掛止片（２２）を各回転脚（２１）の各先端にそれぞれ設けた細長い取付体（２０）とからなるモップ糸取付台。
【請求項２】
挿入穴（７）を細長い方形のものとして本体（１）の中央位置において本体（１）の長手方向に設け、柄取付体（１１）の挿入片（１４）をその挿入穴（７）にちょうどはまる板状のものとしたことを特徴とする、請求項１記載のモップ糸取付台。
【請求項３】
本体（１）の細長い挿入穴（７）の前方側及び後方側に挿入穴（７）を挟む平行な垂直面をそれぞれ設けて両垂直面間を挟持部（２）とし、柄取付体（１１）の挿入片（１４）を挿入穴（７）に挿入したときに挟持部（２）の前後の両垂直面に密着接触する前後の挟持片（２５）を柄取付体（１１）の挿入片（１４）の前後にそれぞれ設けたことを特徴とする、請求項２記載のモップ糸取付台。
【請求項４】
柄取付体（１１）の挿入片（１４）を本体（１）の挿入穴（７）に挿入して本体（１）に柄取付体（１１）を取り付けた状態で柄取付体（１１）を係止する係止片（１６）を本体（１）側と柄取付体（１１）側との間に取り付けるようにしたことを特徴とする、請求項１又は２又は３記載のモップ糸取付台。
【請求項５】
柄取付体（１１）の挿入片（１４）を本体（１）の挿入穴（７）に挿入して本体（１）に柄取付体（１１）を取り付けた状態で一致する位置において本体（１）と柄取付体（１１）とに穴をあけ、ピン等の長片状の係止片（１６）をその穴に通すようにしたことを特徴とする、請求項１又は２又は３記載のモップ糸取付台。
【請求項６】
柄取付体（１１）の挿入片（１４）を本体（１）の挿入穴（７）に挿入して本体（１）に柄取付体（１１）を取り付けた状態で一致する位置において本体（１）と柄取付体（１１）とに水平方向の切込み（９）及び小切込み（１５）をそれぞれ設け、そして柄取付体（１１）を係止する係止片（１６）は水平片（１７）を備えたものとし、柄取付体（１１）の挿入片（１４）を本体（１）の挿入穴（７）に挿入してその水平片（１７）をそれらの切込み（９）及び小切込み（１５）に通すことで本体（１）に柄取付体（１１）を係止するようにしたことを特徴とする、請求項１又は２又は３記載のモップ糸取付台。
【発明の詳細な説明】
【技術分野】
【０００１】  本発明は、モップ糸を取り付けるモップ糸取付台に関するものである。
【背景技術】
【０００２】  本発明の発明者はモップ糸取付台（特許文献１参照）を開発し製造販売も続けている。このモップ糸取付台は、本体の上面の両側方に凹部をそれぞれ形成し同じく本体の両側に垂直方向の切れ目をそれぞれ入れ、各凹部内に掛止部をそれぞれ設け、一方、取付体の両端に二つの回転脚の各一端を回転自在にそれぞれ取り付け、各回転脚の先端には本体の前記掛止部に掛け止めされる掛止片を設け、本体と取付体との間にモップ糸をはさんだ後、各回転脚を本体の切れ目に入れて各回転脚の上端を上方に出して掛止片を本体の掛止部にそれぞれ掛け止めさせ、各回転脚が外方へ外れるのを防止するようにしたものである。【０００３】  まず、厚さがほぼ均等になるようにならしながら取付体の上にモップ糸を載せた後に、一方の回転脚を本体の切れ目の中に押し込んで掛止片を掛止部に掛け止めさせる。つぎに、モップ糸の厚さが更に均等になるようにならした後、取付体を本体側にかなり強く押し付けながら他方の回転脚を切れ目に入れて掛止片を掛止部に掛け止めさせる。【０００４】  本体の両側面中央部には三つずつの爪係合溝を直列に配置してそれぞれ設けている。それらの爪係合溝に、先端に設けた爪がそれぞれはまり込んで強い弾力で取り付けるようにしたクリップをモップ柄の先端に設けたものを用意している。そして、強い力を加えながらクリップを開いて先端の各爪を本体の各爪係合溝に一致させて力を抜くと、クリップの弾力で各爪が各爪係合溝にはまり込んでモップ柄の先端に整列させたモップ糸を固定したことになる。【０００５】
【特許文献１】  意匠登録第１１０７６１９号公報
【発明の開示】
【発明が解決しようとする課題】
【０００６】  前記従来のモップ糸取付台は、前述のようにしてモップ柄の先端にモップ糸を取り付けた状態にし、清掃作業をする。モップ糸が汚れて清掃に支障を来すようになったら、両手を使ってクリップを押し広げクリップの爪を本体の爪係合溝から外しクリップを取り外す。そして、モップ糸を本体等に取り付けたまま洗濯機を使ったりして洗浄し、再びモップ柄を取り付けて使用する。【０００７】  以上の従来のものには次のような欠点があった。すなわち、床面清掃中には強い押圧力を掛けながら清掃を続ける。このとき、角が壁面等に当ったりしたときにクリップが外れてしまうことがあった。いったん外れると、再び強い力を加えてクリップを押し広げて先端の各爪を本体の各爪係合溝の位置に注意深く持っていき取り付けるという作業を繰り返さなければならなかった。取外し取付けの作業は煩わしく面倒で時間が掛かった。清掃作業に従事している女性・高齢者などの力の弱い者にとっては、特に苦痛の伴う大変な作業となった。【０００８】  本発明が解決しようとする課題は、モップ柄の取付け・取外しが力を要せずに容易にでき、しかも清掃作業中に簡単には外れないモップ糸取付台を提供する点にある。
【課題を解決するための手段】
【０００９】  本発明に係るモップ糸取付台は、垂直方向の切れ目５及び掛止部４を両側にそれぞれ設け、中央には上面から下方へ挿入穴７を設けたほぼ直方体形状の細長い本体１と、棒状の柄２４の下端を挿入して取り付ける円筒１２を上方に設けて本体１の挿入穴７にちょうどはまる形状とした挿入片１４を下方に設けた柄取付体１１と、本体１とほぼ同じ長さとし本体１の両切れ目５にはまる二つの回転脚２１の各一端を両端に回転自在にそれぞれ取り付け、本体１の各掛止部４に掛け止める掛止片２２を各回転脚２１の各先端にそれぞれ設けた細長い取付体２０とからなるものである。【００１０】  まず、厚さがほぼ均等になるようにならしながら取付体２０の上にモップ糸を載せた後に、一方の回転脚２１を本体１の切れ目５の中に押し込んで掛止片２２を掛止部４に掛け止めさせる。つぎに、モップ糸の厚さが更に均等になるようにならした後、取付体２０を本体１側にかなり強く押し付けながら他方の回転脚２１を切れ目５に入れて掛止片２２を掛止部４に掛け止めさせる。そして、柄取付体１１の上方の円筒１２に長い棒状の柄２４の先端を差し込んで取り付け、柄取付体１１の挿入片１４を本体１の挿入穴７に差し込んで取り付ける。この状態で清掃を続ける。モップ糸が汚れてしまったら、柄取付体１１の挿入片１４を本体１の挿入穴７から引き抜く。モップ糸を本体１等に取り付けたまま洗濯機を使ったりして洗浄し、再び柄２４を取り付けて使用する。【００１１】  以上のものにおいて、本体１の挿入穴７は細長い方形のものとして本体１の中央位置において本体１の長手方向に設け、柄取付体１１の挿入片１４をその挿入穴７にちょうどはまる板状のものとするのが普通である。そして、このようにしたものにおいては、本体１の細長い挿入穴７の前方側及び後方側に挿入穴７を挟む平行な垂直面をそれぞれ設けて両垂直面間を挟持部２とし、柄取付体１１の挿入片１４を挿入穴７に挿入したときに挟持部２の前後の両垂直面に密着接触する前後の挟持片２５を柄取付体１１の挿入片１４の前後にそれぞれ設けたものとしてもよい。柄取付体１１の挿入片１４を挿入穴７に挿入したとき、挿入片１４の外周面及び両挟持片２５の各内面が本体１側へ密着接触し摩擦力が大きくなるため、柄取付体１１の本体１への取付け状態がしっかりしたものとなる。【００１２】  柄取付体１１の本体１への取付け状態を更に強固なものとするには、例えば、柄取付体１１の挿入片１４を本体１の挿入穴７に挿入して本体１に柄取付体１１を取り付けた状態で柄取付体１１を係止する係止片１６を本体１側と柄取付体１１側との間に取り付けるようにしてもよい。柄取付体１１の挿入片１４を本体１の挿入穴７に挿入して本体１に柄取付体１１を取り付けた状態で一致する位置において本体１と柄取付体１１とに穴をあけ、ピン等の長片状の係止片１６をその穴に通すようにしてもよい。柄取付体１１の挿入片１４を本体１の挿入穴７に挿入して本体１に柄取付体１１を取り付けた状態で一致する位置において本体１と柄取付体１１とに水平方向の切込み９及び小切込み１５をそれぞれ設け、そして柄取付体１１を係止する係止片１６は水平片１７を備えたものとし、柄取付体１１の挿入片１４を本体１の挿入穴７に���入してその水平片１７をそれらの切込み９及び小切込み１５に通すことで本体１に柄取付体１１を係止するようにしてもよい。
【発明の効果】
【００１３】  本発明に係るモップ糸取付台においては、モップ柄の取付け・取外しが力を要せずに容易にでき、しかも清掃作業中に簡単に外れるようなことがない。
【発明を実施するための最良の形態】
【００１４】  本発明を実施するための最良の形態を図１及び図２に基づいて説明する。図１にモップ糸取付台の本体１を示している。本体１はほぼ直方体の細長い形状とし、上方部中央部は前面及び後面を垂直面とした直方体状の挟持部２としている。挟持部２は、棒状のモップ柄の先端に取り付けたクリップで挟むこともできるものである。そして、本体１の上部に両端から内側へと凹部３をそれぞれ設けている。各凹部３内に下方へ半円弧状にくぼむ掛止部４をそれぞれ設けている。垂直方向の切れ目５を本体１の両端中央から内側へとそれぞれ入れている。挟持部２には中央部６を残し中央部６の左右に細長い長方形の挿入穴７を上面から垂直下方へとそれぞれ設けている。挟持部２の前面及び後面の両下端に沿って三つずつの爪係合溝８をそれぞれ設けている。挟持部２の上方位置において両端から内側へ水平に切込み９をそれぞれ設けている。挟持部２の前面及び後面において左右の切込み９の各内側に垂直方向の小さなくぼみ１０をそれぞれ設けている。【００１５】  本体１とは別体の柄取付体１１を用意している。柄取付体１１の上方部は円筒１２とし、本体１の中央部６に対応する位置において中央部６がちょうどはまる切込み１３を下方から垂直に設け、切込み１３の左右に本体１の左右の挿入穴７にちょうどはまる方形の挿入片１４を柄取付体１１の下方部にそれぞれ形成している。各挿入片１４の各外側の上方位置において外側から内側へと水平に小切込み１５をそれぞれ設けている。小切込み１５の幅は挟持部２の各切込み９の幅と同じにしている。【００１６】  別体の左右の係止片１６を用意している。係止片１６は水平片１７と水平片１７の前端及び後端から内側へ向けて平行に伸びる垂直片１８とからなり、垂直片１８の各内側内面には内側へ突出する突条１９を垂直方向にそれぞれ設けている。水平片１７の厚さは挟持部２の切込み９の幅及び柄取付体１１の小切込み１５の幅と一致するものとしている。前後の垂直片１８は挟持部２を前後にちょうど挟む間隔にし、水平片１７を挟持部２の切込み９に押し込んだとき挟持部２のくぼみ１０に一致する位置において各垂直片１８の前面及び後面に各突条１９をそれぞれ設けているのである。【００１７】  図２に示すように、別体の断面Ｕ字形の細長い取付体２０を用意している。取付体２０は本体１とほぼ同じ長さのものとしている。取付体２０の両端には回転脚２１をピンによって回転自在にそれぞれ設けている。回転脚２１の先端には掛止片２２を一体成形によってそれぞれ設けている。回転脚２１の厚みは本体１の切れ目５にちょうどはまるものとし、掛止片２２は本体１の掛止部４にちょうどはまるものとしている。そして、本体１の下方に取付体２０を沿わせて配置し、両回転脚２１を外側から上方内側へと回転させ本体１の両切れ目５にはめて掛止片２２を本体１の両掛止部４にはめたとき、両回転脚２１が垂直方向を通り越し両回転脚２１がややハの字形に広がる状態になる位置に本体１の掛止部４をそれぞれ設けているのである。【００１８】  以上に示したモップ糸取付台の使用法を説明する。まず、モップ糸２３の中央を取付体２０にかぶせてモップ糸２３の両側を垂らした後に、一方の回転脚２１を上方内側へと回転��せ本体１の一方の切れ目５にはめ掛止片２２を本体１の掛止部４にはめる。つぎに、取付体２０を本体１側へ強く押し付けながら他方の回転脚２１を他方の切れ目５にはめ、掛止片２２を掛止部４にはめると、モップ糸２３の取付けが終って図２に示す状態になる。各掛止片２２が各掛止部４に掛け止められていることで各回転脚２１が簡単には外れず、取付体２０の取付けはしっかりしたものとなっている。さらに、左右の回転脚２１は垂直位置を乗り越え左右でややハの字形になっている。したがって、回転脚２１に外側へ回転する力が加わっても簡単には回転せず取付体２０が外れることはない。【００１９】  柄取付体１１の円筒１２の中に棒状の柄２４の先端を差し込み、釘などで止めておく。そして、図１に示すように、柄取付体１１の二つの挿入片１４を本体１の各挿入穴７内へ上方から挿入し、左右の係止片１６の各水平片１７を挟持部２の切込み９から各挿入片１４の小切込み１５内へと押し込むと、各垂直片１８の各突条１９が挟持部２の各くぼみ１０にはまって、図２に示すように、モップ糸取付台に柄２４を取り付けたことになる。【００２０】  この状態で柄２４を持ってモップ掛けを続ける。モップ糸２３が汚れて使用不能になったら、左右の係止片１６を左右に引き抜き、本体１から柄取付体１１を引き抜いてモップ糸２３を洗浄する。そして、再び柄取付体１１を取り付けて清掃する。【００２１】  なお、この本体１へは前記従来のクリップ式柄取付体を取り付けて使用することもできる。すなわち、本体１の各係合溝８にクリップ式柄取付体の各爪をはめながら挟持部２をクリップで挟持して使用する。
【実施例１】
【００２２】  実施例１を図３に基づいて説明する。本体１の挟持部２には一本の長い挿入穴７を設け、柄取付体１１の挿入片１４も挿入穴７にちょうどはまる一枚ものとしている。柄取付体１１には、挿入穴７に挿入する挿入片１４のほか、挟持部２の前面及び後面を挟み付ける前後の挟持片２５を所定の間隔をあけて挿入片１４と平行に設けている。柄取付体１１の挿入片１４を挟持部２の挿入穴７に押し込んだとき前後の挟持片２５が挟持部２の前面及び後面に密着し、しっかりした取付け状態となる。なお、これでも十分な取付け状態とはならない場合は、柄取付体１１と挟持部２との同一箇所に穴をあけ、それらの穴にピン等の長片状の係止片１６を通して固定するようにしてもよい。
【実施例２】
【００２３】  実施例２を図４に基づいて説明する。実施例２は基本的には実施例１と同じものである。柄取付体１１は全体をほぼ円柱状のものとし、上方に円筒１２を設け、中央の挿入片１４と前後の両挟持片２５とを下方に設けたものである。柄取付体１１の下方部がちょうどはまる円形のくぼみを本体１の中央に上方から設け、柄取付体１１の挿入片１４がちょうどはまる挿入穴７をそのくぼみの中央に設け、挿入穴７を挟む前後の部分を挟持部２としている。
【図面の簡単な説明】
【００２４】
【図１】発明を実施するための最良の形態を示す分解斜視図である。
【図２】発明を実施するための最良の形態を示す断面図である。
【図３】実施例１を示す分解斜視図である。
【図４】実施例２を示す分解斜視図である。
【符号の説明】
【００２５】    １    本体
２    挟持部
４    掛止部
５    切れ目
７    挿入穴
９    切込み
１１    柄取付体
１２    円筒
１４    挿入片
１５    小切込み
１６    係止片
１７    水平片
２０    取付体
２１    回転脚
２２    掛止片
２４    柄
２５    挟持片
【図１】
2008061973.tif 000003
【図２】
2008061973.tif 000004
【図３】
2008061973.tif 000005
【図４】
2008061973.tif 000006